(57)【特許請求の範囲】
【請求項１】
アクセスポイントを介して通信端末と無線で通信するネットワークに接続され、前記アクセスポイントと前記通信端末との配置を含む地図を作成する通信端末位置画像作成装置であって、
周期的に、各アクセスポイントに接続している前記通信端末の識別情報を、前記ネットワークを介して受信し、受信した前記通信端末の識別情報と前記アクセスポイントの識別情報とを対応付けて記憶する端末情報取得・記憶手段と、
前記端末情報取得・記憶手段に記憶されている前記通信端末の識別情報と前記アクセスポイントの識別情報との対応付けの情報の内、最新の前記対応付けの情報と該対応付けの情報の直前の前記対応付けの情報とを比較する比較手段と、
前記比較手段の比較結果に基づいて、接続関係が変更された前記通信端末と前記アクセスポイントとを検出する変更検出手段と、
前記変更検出手段で検出した前記通信端末に対応付けられた変更前の前記アクセスポイントと変更後の前記アクセスポイントとを判別する変更判別手段と、
前記アクセスポイントが設置されている領域を含む地図を記憶する地図記憶手段と、
前記地図記憶手段に記憶されている前記地図に前記アクセスポイントを示す模式図を追加し、前記アクセスポイントの配置を含む第２の地図を作成するアクセスポイント図作成手段と、
前記端末情報取得・記憶手段に記憶されている情報に基づいて、前記アクセスポイント図作成手段によって作成された前記第２の地図の各アクセスポイントを示す図形の近傍に、該アクセスポイントと通信している前記通信端末の模式図を追加して、前記アクセスポイントと前記通信端末の配置図を生成し、前記変更検出手段による検出および前記変更判別手段による判別に基づいて、前記通信端末の模式図が、該通信端末に対応付けられた前記変更前のアクセスポイントの近傍から該通信端末に対応付けられた前記変更後のアクセスポイントの近傍まで移動している様子を表す画像を作成し、前記アクセスポイントを示す図形と前記通信端末の模式図の配置を更新する配置図生成手段と、
を備える通信端末位置画像作成装置。
【請求項２】
前記配置図生成手段は、前記アクセスポイントの模式図と前記通信端末の模式図の距離を、ユーザが指定した所定距離とする、
ことを特徴とする請求項１記載の通信端末位置画像作成装置。
【請求項３】
アクセスポイントを介して通信端末と無線で通信するネットワークに接続され、前記アクセスポイントと前記通信端末との配置を含む地図を作成する通信端末位置画像作成装置における通信端末位置画像作成方法であって、
周期的に、各アクセスポイントに接続している前記通信端末の識別情報を、前記ネットワークを介して受信し、受信した前記通信端末の識別情報と前記アクセスポイントの識別情報とを対応付けて記憶する端末情報取得・記憶ステップと、
前記端末情報取得・記憶ステップによって記憶されている前記通信端末の識別情報と前記アクセスポイントの識別情報との対応付けの情報の内、最新の前記対応付けの情報と該対応付けの情報の直前の前記対応付けの情報とを比較する比較ステップと、
前記比較ステップの比較結果に基づいて、接続関係が変更された前記通信端末と前記アクセスポイントとを検出する変更検出ステップと、
前記変更検出ステップで検出した前記通信端末に対応付けられた変更前の前記アクセスポイントと変更後の前記アクセスポイントとを判別する変更判別ステップと、
前記アクセスポイントが設置されている領域を含む地図を記憶する地図記憶ステップと、
前記地図記憶ステップによって記憶されている前記地図に前記アクセスポイントを示す模式図を追加し、前記アクセスポイントの配置を含む第２の地図を作成するアクセスポイント図作成ステップと、
前記端末情報取得・記憶ステップによって記憶されている情報に基づいて、前記アクセスポイント図作成ステップによって作成された前記第２の地図の各アクセスポイントを示す図形の近傍に、該アクセスポイントと通信している前記通信端末の模式図を追加して、前記アクセスポイントと前記通信端末の配置図を生成し、前記変更検出ステップによる検出および前記変更判別ステップによる判別に基づいて、前記通信端末の模式図が、該通信端末に対応付けられた前記変更前のアクセスポイントの近傍から該通信端末に対応付けられた前記変更後のアクセスポイントの近傍まで移動している様子を表す画像を作成し、前記アクセスポイントを示す図形と前記通信端末の模式図の配置を更新する配置図生成ステップと、
を備えることを特徴とする通信端末位置画像作成方法。
【請求項４】
アクセスポイントを介して通信端末と無線で通信するネットワークに接続されていて、前記アクセスポイントが設置されている領域を含む地図が記憶されているコンピュータに、
周期的に、各アクセスポイントに接続している前記通信端末の識別情報を、前記ネットワークを介して受信し、受信した前記通信端末の識別情報と前記アクセスポイントの識別情報とを対応付けて記憶する端末情報取得・記憶機能と、
前記端末情報取得・記憶機能によって記憶されている前記通信端末の識別情報と前記アクセスポイントの識別情報との対応付けの情報の内、最新の前記対応付けの情報と該対応付けの情報の直前の前記対応付けの情報とを比較する比較機能と、
前記比較機能の比較結果に基づいて、接続関係が変更された前記通信端末と前記アクセスポイントとを検出する変更検出機能と、
前記変更検出機能で検出した前記通信端末に対応付けられた変更前の前記アクセスポイントと変更後の前記アクセスポイントとを判別する変更判別機能と、
前記地図上の位置に前記アクセスポイントを示す模式図を追加し、前記アクセスポイントの配置を含む第２の地図を作成するアクセスポイント図作成機能と、
前記端末情報取得・記憶機能によって記憶されている情報に基づいて、前記アクセスポイント図作成機能によって作成された前記第２の地図の各アクセスポイントを示す図形の近傍に、該アクセスポイントと通信している前記通信端末の模式図を追加して、前記アクセスポイントと前記通信端末の配置図を生成し、前記変更検出機能による検出および前記変更判別手段による判別に基づいて、前記通信端末の模式図が、該通信端末に対応付けられた前記変更前のアクセスポイントの近傍から該通信端末に対応付けられた前記変更後のアクセスポイントの近傍まで移動している様子を表す画像を作成し、前記アクセスポイントを示す図形と前記通信端末の模式図の配置を更新する配置図生成機能と、
を実現させることを特徴とするプログラム。
【発明の詳細な説明】
【技術分野】
【０００１】
本発明は、移動体端末、基地局等の配置図を作成する通信端末位置画像作成装置、通信端末位置画像作成方法、およびプログラムに関するものである。
【背景技術】
【０００２】
例えば、オフィースに無線ＬＡＮなどを設置する場合に、アクセスポイントと各無線端末（移動局）の配置図を作成する場合がある。このような作業は、従来、手作業で行われていたが、作業が繁雑であると共に無線端末を移動した場合の修正作業が繁雑である。
特に、無線端末が携帯電話等の場合、手作業での修正作業は事実上不可能である。
【０００３】
一方、無線端末の位置を自動的に判別し、地図上にプロットして表示するシステムが特許文献１に開示されている。この監視システムにおいては、各基地局が無線端末からの受信強度と基地局ＩＤとを監視局に通知し、監視局が、各無線端末の位置を受信強度と基地局の位置から求めて地図上に表示する。
【特許文献１】特開平８−１０７５８３（特に、段落００２５〜００２９，図１０，図１１参照）
【発明の開示】
【発明が解決しようとする課題】
【０００４】
このシステムは、基地局の位置情報に基づいて無線端末の位置を算出する。従って、基地局の位置情報に高い精度が要求される。また、受信レベルデータのデータベースが必要になるなど、構成が複雑で、システムが変更されたときの対応が煩雑である。
さらに、このシステムでは、移動局の位置を地図上に表示できるが、基地局の位置及び基地局と無線端末との関係を地図上に表示できない。従って、各無線端末がどの基地局のエリアに所属しているか、地図を見ただけでは、把握できない。また。無線端末を所有している者がだれであるかを把握することもできない。
従って、無線ＬＡＮ等を構成する設備の管理システムとしては不十分である。
【０００５】
本発明は、上記実情に鑑みてなされたものであり、ネットワークの構成を容易に認識することが可能な配置図を簡単に作成できる配置図作成システムを提供することを目的とする。
また、この発明は、基地局や無線端末が移動する等の、ネットワークシステムの変更に対して、簡単・迅速に対応できる配置図作成システムを提供することを他の目的とする。
【課題を解決するための手段】
【０００６】
上記目的を達成するため、この発明の通信端末位置画像作成装置は、
アクセスポイントを介して通信端末と無線で通信するネットワークに接続され、前記アクセスポイントと前記通信端末との配置を含む地図を作成する通信端末位置画像作成装置であって、
周期的に、各アクセスポイントに接続している前記通信端末の識別情報を、前記ネットワークを介して受信し、受信した前記通信端末の識別情報と前記アクセスポイントの識別情報とを対応付けて記憶する端末情報取得・記憶手段と、
前記端末情報取得・記憶手段に記憶されている前記通信端末の識別情報と前記アクセスポイントの識別情報との対応付けの情報の内、最新の前記対応付けの情報と該対応付けの情報の直前の前記対応付けの情報とを比較する比較手段と、
前記比較手段の比較結果に基づいて、接続関係が変更された前記通信端末と前記アクセスポイントとを検出する変更検出手段と、
前記変更検出手段で検出した前記通信端末に対応付けられた変更前の前記アクセスポイントと変更後の前記アクセスポイントとを判別する変更判別手段と、
前記アクセスポイントが設置されている領域を含む地図を記憶する地図記憶手段と、
前記地図記憶手段に記憶されている前記地図に前記アクセスポイントを示す模式図を追加し、前記アクセスポイントの配置を含む第２の地図を作成するアクセスポイント図作成手段と、
前記端末情報取得・記憶手段に記憶されている情報に基づいて、前記アクセスポイント図作成手段によって作成された前記第２の地図の各アクセスポイントを示す図形の近傍に、該アクセスポイントと通信している前記通信端末の模式図を追加して、前記アクセスポイントと前記通信端末の配置図を生成し、前記変更検出手段による検出および前記変更判別手段による判別に基づいて、前記通信端末の模式図が、該通信端末に対応付けられた前記変更前のアクセスポイントの近傍から該通信端末に対応付けられた前記変更後のアクセスポイントの近傍まで移動している様子を表す画像を作成し、前記アクセスポイントを示す図形と前記通信端末の模式図の配置を更新する配置図生成手段と、
を備えることを特徴とする。
【０００９】
また、上記通信端末位置画像作成装置において、
前記配置図生成手段は、前記アクセスポイントの模式図と前記通信端末の模式図の距離を、ユーザが指定した所定距離とする、
ようにしてもよい。
【００１０】
また、この発明の第２の観点に係る通信端末位置画像作成方法は、
アクセスポイントを介して通信端末と無線で通信するネットワークに接続され、前記アクセスポイントと前記通信端末との配置を含む地図を作成する通信端末位置画像作成装置における通信端末位置画像作成方法であって、
周期的に、各アクセスポイントに接続している前記通信端末の識別情報を、前記ネットワークを介して受信し、受信した前記通信端末の識別情報と前記アクセスポイントの識別情報とを対応付けて記憶する端末情報取得・記憶ステップと、
前記端末情報取得・記憶ステップによって記憶されている前記通信端末の識別情報と前記アクセスポイントの識別情報との対応付けの情報の内、最新の前記対応付けの情報と該対応付けの情報の直前の前記対応付けの情報とを比較する比較ステップと、
前記比較ステップの比較結果に基づいて、接続関係が変更された前記通信端末と前記アクセスポイントとを検出する変更検出ステップと、
前記変更検出ステップで検出した前記通信端末に対応付けられた変更前の前記アクセスポイントと変更後の前記アクセスポイントとを判別する変更判別ステップと、
前記アクセスポイントが設置されている領域を含む地図を記憶する地図記憶ステップと、
前記地図記憶ステップによって記憶されている前記地図に前記アクセスポイントを示す模式図を追加し、前記アクセスポイントの配置を含む第２の地図を作成するアクセスポイント図作成ステップと、
前記端末情報取得・記憶ステップによって記憶されている情報に基づいて、前記アクセスポイント図作成ステップによって作成された前記第２の地図の各アクセスポイントを示す図形の近傍に、該アクセスポイントと通信している前記通信端末の模式図を追加して、前記アクセスポイントと前記通信端末の配置図を生成し、前記変更検出ステップによる検出および前記変更判別ステップによる判別に基づいて、前記通信端末の模式図が、該通信端末に対応付けられた前記変更前のアクセスポイントの近傍から該通信端末に対応付けられた前記変更後のアクセスポイントの近傍まで移動している様子を表す画像を作成し、前記アクセスポイントを示す図形と前記通信端末の模式図の配置を更新する配置図生成ステップと、
を備えることを特徴とする。
【００１１】
また、この発明の第３の観点に係るプログラムは、
アクセスポイントを介して通信端末と無線で通信するネットワークに接続されていて、前記アクセスポイントが設置されている領域を含む地図が記憶されているコンピュータに、
周期的に、各アクセスポイントに接続している前記通信端末の識別情報を、前記ネットワークを介して受信し、受信した前記通信端末の識別情報と前記アクセスポイントの識別情報とを対応付けて記憶する端末情報取得・記憶機能と、
前記端末情報取得・記憶機能によって記憶されている前記通信端末の識別情報と前記アクセスポイントの識別情報との対応付けの情報の内、最新の前記対応付けの情報と該対応付けの情報の直前の前記対応付けの情報とを比較する比較機能と、
前記比較機能の比較結果に基づいて、接続関係が変更された前記通信端末と前記アクセスポイントとを検出する変更検出機能と、
前記変更検出機能で検出した前記通信端末に対応付けられた変更前の前記アクセスポイントと変更後の前記アクセスポイントとを判別する変更判別機能と、
前記地図上の位置に前記アクセスポイントを示す模式図を追加し、前記アクセスポイントの配置を含む第２の地図を作成するアクセスポイント図作成機能と、
前記端末情報取得・記憶機能によって記憶されている情報に基づいて、前記アクセスポイント図作成機能によって作成された前記第２の地図の各アクセスポイントを示す図形の近傍に、該アクセスポイントと通信している前記通信端末の模式図を追加して、前記アクセスポイントと前記通信端末の配置図を生成し、前記変更検出機能による検出および前記変更判別手段による判別に基づいて、前記通信端末の模式図が、該通信端末に対応付けられた前記変更前のアクセスポイントの近傍から該通信端末に対応付けられた前記変更後のアクセスポイントの近傍まで移動している様子を表す画像を作成し、前記アクセスポイントを示す図形と前記通信端末の模式図の配置を更新する配置図生成機能と、
を実現させることを特徴とする。
【発明の効果】
【００１２】
本発明によれば、簡単な方法で、無線通信端末機器の現在位置を報知することができる。
【発明を実施するための最良の形態】
【００１３】
本発明の実施形態に係る通信端末位置画像作成装置装置を含むネットワークシステムを、図１を参照して説明する。
【００１４】
本実施形態に係るネットワークシステム１００は、複数のＩＰ携帯電話１０２（図では１０２ａ〜１０２ｍ）、ＳＩＰサーバ１０３、無線アクセスポイント１０４（図では、１０４ａ〜１０４ｎ）、配置図作成装置１０５、表示装置１０６、携帯電話基地局１０７、ＬＡＮ１１０、を備える。
【００１５】
ＩＰ携帯電話１０２（図では、１０２ａ〜１０２ｍ；総称する場合１０２）は、図２に示すように、携帯電話インターフェース１１２ａと無線ＬＡＮインターフェース１１２ｂを備えている。
【００１６】
ＩＰ携帯電話１０２は、携帯電話インターフェース１１２ａにより、携帯電話基地局１０７に無線接続することができ、一般的な携帯電話としての使用ができる。
【００１７】
また、ＩＰ携帯電話１０２は、無線ＬＡＮインターフェース１１２ｂにより、ＬＡＮ（Local Area Network）１１０と無線接続することができる。また、ＳＩＰサーバ１０３の機能により、ＬＡＮ１１０内で使用できる内線電話として使用することが可能になる。無線ＬＡＮインターフェース１１２ｂには、ハードウェア固有の物理アドレスである、ＭＡＣ（Media  Access  Control)アドレスが割り当てられている。
【００１８】
ＳＩＰサーバ１０３は、ＳＩＰ（Session Initiation Protocol)と呼ばれる通信制御プロトコルを用いて、ＩＰ携帯電話１０２の通信制御を行う。
【００１９】
無線アクセスポイント（以下、ＡＰ）１０４（図では、１０４ａ〜１０４ｎ；総称する場合１０４）は、ＩＰ携帯電話１０２の無線ＬＡＮインターフェース１１２ｂと通信する。ＩＰ携帯電話１０２が内線電話として使われる場合、ＡＰ１０４は、ＩＰ携帯電話１０２をＬＡＮ１１０に接続させる中継局としての役割を果たす。
【００２０】
配置図作成装置１０５は、通信端末位置画像作成装置の一実施例に相当するものであり、ＬＡＮ１１０の設置箇所のフロアマップに、ＡＰ１０４の模式図とＩＰ携帯電話１０２の模式図を加えた配置図を作成する装置である。
【００２１】
なお、フロアマップとは、ＬＡＮ１１０が構築されている領域、例えば、ＬＡＮ１１０が設置されている建物内部のフロア構造を示す画像データである。フロアマップは、フロアの様子が判別できる程度のものでよく、正確なものでなくても、デフォルメされたものでもよい。そして、フロアマップは、ＬＡＮが構築されている建物内部の全体を示す必要はなく、ＬＡＮが構築されている領域内で特にＡＰが設置されている領域を含むものであればよい。また、フロアマップのデータ形式は、例えば、一般的な画像データ形式であるＢＭＰ(Bit Map)ファイルや、ＪＰＥＧ等でもよい。
【００２２】
ＡＰ１０４の模式図（シンボル）とは、フロアマップ上でのアクセスポイントの設置位置をユーザが識別できるようにした簡単な図形情報である。また、ＩＰ携帯電話１０２の模式図（シンボル）とは、フロアマップ上でＩＰ携帯電話１０２の位置をユーザが識別できるようにした簡単な図形情報である。
【００２３】
表示装置１０６は、配置図作成装置１０５によって作成された画像を表示する、液晶モニタ等の装置である。
【００２４】
携帯電話基地局１０７は、ＩＰ携帯電話１０２を携帯電話回線へ接続するための基地局である。
【００２５】
次に、配置図作成装置１０５の構成を、図３を参照して説明する。
【００２６】
図示するように、配置図作成装置１０５は、制御部２０１と、通信部２０３と、操作部２０４と、記憶部２０５とを備える。
【００２７】
制御部２０１は、ＣＰＵ（Central  Processing  Unit）等から構成され、ＩＰ携帯電話１０２の全体の動作の制御を行う。例えば、制御部２０１は、後述する処理を行って、各ＩＰ携帯電話１０２がどのＡＰ１０４と交信（接続）しているかを判別し、ＡＰ１０４の模式図が予め配置されたフロアマップ（地図）上に、各ＡＰ１０４と交信しているＩＰ携帯電話１０２を表す模式図を配置して、配置図（正確には、ＩＰ携帯電話配置フロアマップ）を作成し、表示装置１０６に供給し、表示させる。
【００２８】
通信部２０３は、ＬＡＮ１１０との接続可能なインターフェースを有しており、ＬＡＮ１１０上の装置と各種データのやりとりを行う。
【００２９】
操作部２０４は、キーボードやマウス等から構成され、ユーザの操作に応答して、ユーザの指示やデータを入力する。
【００３０】
記憶部２０５は、ハードディスクドライブ、フラッシュメモリ等から構成され、各種データ、例えば、ＡＰ配置プログラム２０６、通信端末位置表示プログラム２０７、ＩＰ携帯電話配置フロアマップ更新プログラム２０８、地図データ（フロアマップ）、配置図等が記憶されている。
【００３１】
次に、配置図作成装置１０５を動作させるために必要な、事前の設定事項について説明する。
【００３２】
まず、ネットワークシステム１００の管理者は、図４（ａ）に示すように、各ＡＰ１０４が設置されている場所の名称（識別情報）と該ＡＰ１０４のＩＰアドレスとを対応付けて格納するＡＰ設置場所データテーブル３００を作成する。そして、作成したＡＰ設置場所データテーブル３００を、記憶部２０５に格納する。
【００３３】
なお、ＩＰアドレスは、ネットワークシステム１００上で、ＡＰ１０４に予め割り当てられているものである。設置場所の名称等は、管理者が区別のために任意に決めればよい。
【００３４】
次に、管理者は、図４（ｂ）に示すように、各ＩＰ携帯電話１０２について、使用者名とそのＩＰ携帯電話１０２に設定されているＭＡＣアドレスとを対応付けて格納するＩＰ携帯電話所有者データテーブル３１０を作成する。管理者は、作成した該ＩＰ携帯電話所有者データテーブル３１０を、記憶部２０５に格納する。
【００３５】
次に、管理者は、ネットワークシステム１１０が設置されている構内のフロアマップの画像データを準備する。図１０に示される、フロアマップ４００が一例である。
【００３６】
次に、管理者は、ＡＰ１０４がフロアのどこに設定されているかを示すＡＰフロアマップを生成するため、ＡＰ配置プログラム２０６を起動する指示を操作部２０４から入力する。
【００３７】
指示に応答して、制御部２０１は、図５に示すＡＰフロアマップ作成処理を開始し、まず、記憶部２０５からフロアマップ４００を読み出し、表示装置１０６に表示する（ステップＳ１０１）。
【００３８】
続いて、制御部２０１は、ＡＰ設置場所データテーブル３００に登録されているＡＰ１０４について、ＩＰアドレスを含む模式図の一覧を作成し、配置場所と対応付けて表示する（ステップＳ１０２）。
続いて、制御部２０１は、作成された模式図を、管理者の操作に従って、フロアマップ４００上に配置する（ステップＳ１０３）。具体的に説明すると、管理者は、表示装置１０６の画面に表示されているフロアマップ４００を見ながら、管理者は、ドラッグアンドドロップ動作により、ＡＰ１０４の模式図を適当な場所に移動して配置する。
なお、模式図を管理者自身で作成するようにしても良い。
【００３９】
例えば、図４(a)に示されるＡＰ設置場所データテーブル３００が設定されている場合には、図１１に示すように、ＩＰアドレス「１９２．１６８．０．１」の情報が含まれたＡＰの模式図５０１を、フロアマップ４００の「食堂」の位置に、ＩＰアドレス「１９２．１６８．０．２」の情報が含まれたＡＰの模式図５０２を、フロアマップ４００の「会議室」の位置に、ＩＰアドレス「１９２．１６８．０．３」の情報が含まれたＡＰの模式図５０３を、フロアマップ４００の「オフィス」の位置に配置する。なお、図では、ＩＰアドレスを可視化しているが、ＩＰアドレスを見えないようにしてもよい。
【００４０】
以上の方法によって、フロアマップにＡＰの模式図が追加されたＡＰ配置フロアマップ５００が完成する。
【００４１】
管理者は、ＡＰの模式図の配置を終了したら、終了を指示する操作を行う。制御部２０１は、「終了」の指示を検出する（ステップＳ１０４；Ｙｅｓ）まで、ステップＳ１０３を繰り返し、「終了」の指示を検出すると、ＡＰ配置フロアマップ５００を記憶部２０５に記憶する（ステップＳ１０５）。そして、制御部２０１は、ＡＰ配置プログラム２０６を終了する。
【００４２】
次に、管理者は、配置図、即ち、ＡＰとＩＰ携帯電話の配置位置が付加されたフロアマップの最初のバージョンを作成する処理の起動を指示する。
【００４３】
この指示に応答して、制御部２０１は、通信端末位置表示プログラム２０７を起動し、図６に示す通信端末位置表示処理を開始する。
【００４４】
まず、制御部２０１は、ＡＰ設置場所データテーブル３００を記憶部２０５から読み出す（ステップＳ２０１）。
制御部２０１は、ＡＰ設置場所データテーブル３００のエントリ番号ｉを１に初期化する（ステップＳ２０２）。
制御部２０１は、ＡＰ設置場所データテーブル３００の第ｉ番目のエントリに記録されているＩＰアドレスのＡＰ１０４に、接続状態にあるＩＰ携帯電話１０２の有無を問い合わせる（ステップＳ２０３）。
【００４５】
問い合わせ先のＡＰ１０４に接続しているＩＰ携帯電話がある場合（ステップＳ２０４；Ｙｅｓ）、制御部２０１は、該ＩＰ携帯電話のＭＡＣアドレスを取得する（ステップＳ２０５）。続いて、制御部２０１は、記憶部２０５に記憶されているＩＰ携帯電話所有者データテーブル３１０を参照して、取得したＭＡＣアドレスに対応する所有者の情報を入手する（ステップＳ２０６）。
【００４６】
ステップＳ２０６終了後、又は、ＡＰ１０４に接続しているＩＰ携帯電話がないと判別された場合（ステップＳ２０４；Ｎｏ）、制御部２０１は、エントリ番号ｉが最終値に達しているか否か、即ち、全てのＡＰ１０４から接続情報を取得したか否かを判別し（ステップＳ２０７）、終了していなければ（ステップＳ２０７；Ｎｏ）、エントリ番号ｉを＋１して、ステップＳ２０３に戻って上述の処理を繰り返す。
【００４７】
一方、ｉが最終値に達していれば（ステップＳ２０７；Ｙｅｓ）、制御部２０１は、取得したＭＡＣアドレスと所有者データとを対応付けて、図９（ａ）に示すＡＰ接続中ＩＰ携帯電話データテーブル７００を作成し、記憶部２０５に保存する（ステップＳ２０９）。
【００４８】
次に、制御部２０１は、記憶部２０５に記憶されているＡＰ配置フロアマップ５００を読み出す（ステップＳ２１０）。
そして、ＡＰ接続中ＩＰ携帯電話データテーブル７００に対応するようにして、画像作成部２０２は、ＡＰ配置フロアマップ５００上にＩＰ携帯電話の模式図を加えたＩＰ携帯電話配置フロアマップ８００を、例えば、図１２に示すように、作成する（ステップＳ２１１）。
【００４９】
次に、制御部２０１は、ＩＰ携帯電話配置フロアマップ８００を表示装置１０６に表示させる（ステップＳ２１２）。これにより、ユーザは、ＡＰ１０４の位置及びＩＰ携帯電話１０２及びその所有者の現在位置を、表示装置１０６に表示されるＩＰ携帯電話配置フロアマップ８００上のＡＰ１０４の模式図及びＩＰ携帯電話１０２の模式図８０１〜８０３の表示位置により確認できる。
【００５０】
ステップＳ２１１のＩＰ携帯電話配置フロアマップ８００の具体的動作を説明する。
【００５１】
まず、制御部２０１は、ＡＰ接続中ＩＰ携帯電話データテーブル７００のエントリ番号ｊを１に初期化する（ステップＳ３０１）。
制御部２０１は、ＡＰ接続中ＩＰ携帯電話データテーブル７００の第ｊ番目のエントリに記録されているＩＰ携帯電話の所有者名を読み出す（ステップＳ３０２）。
【００５２】
制御部２０１は、ＩＰ携帯電話１０２の模式図（シンボル）と読み出した所有者名とを組み合わせた模式図（シンボル）を所有者名毎に作成する（ステップＳ３０３）。なお、所有者名に限定されず、ＭＡＣアドレスやその他のＩＰ携帯電話を識別できる情報であれば、何でもよい。
【００５３】
制御部２０１は、作成した模式図を、図１２に示すように、ＡＰ配置フロアマップ５００の第ｊ番目にエントリのＩＰアドレスで特定されるＡＰ１０４の模式図の近傍に配置する（ステップＳ３０４）。
【００５４】
続いて、制御部２０１は、エントリ番号ｊが最終値に達しているか否か、即ち、全てのアクセスポイントについての処理が終了したか否かを判別し（ステップＳ３０５）、終了していなければ（ステップＳ３０５；Ｎｏ）、エントリ番号ｊを＋１して（ステップＳ３０６）、ステップＳ３０２に戻って上述の処理を繰り返す。
【００５５】
一方、ｊが最終値に達していれば（ステップＳ３０５；Ｙｅｓ）、処理はメインフローにリターンする。
【００５６】
以上の処理により、ＩＰ携帯電話配置フロアマップ８００の最初のバージョンが完成する。
【００５７】
ＩＰ携帯電話は本来移動するものであり、ＩＰ携帯電話配置フロアマップは刻々と変化する。
そこで、管理者は、変化を反映するため、図８に示すＩＰ携帯電話配置フロアマップ更新処理を起動する。
【００５８】
この更新処理において、制御部２０１は、既存のＩＰ携帯電話配置フロアマップを読み出し表示する（ステップＳ４０１）。
【００５９】
次に、記憶部２０５に記憶されているＡＰ設置場所データテーブル３００を旧ＡＰ設置場所データテーブル３００として読み出し（ステップＳ４０２）、記憶部２０５に記憶されているＩＰ携帯電話所有者データテーブル３１０を、旧ＩＰ携帯電話データテーブル３１０として読み出す（ステップＳ４０３）。
【００６０】
次に、制御部２０１は、ＡＰ接続中ＩＰ携帯電話データテーブル７００を新たに作成する。このときの処理は、図６のステップＳ２０２〜Ｓ２０９の処理と同一である。
【００６１】
続いて、制御部２０１は新（ステップＳ４０４で新たに作成した）ＡＰ接続中ＩＰ携帯電話データテーブル７００と旧ＡＰ接続中ＩＰ携帯電話データテーブル７００を比較し、変更の有無を判別する（ステップＳ４０５、Ｓ４０６）。
【００６２】
制御部２０１は、何らかの変更があれば（ステップＳ４０６；Ｙｅｓ）、変更内容を表示するための動画を作成する（ステップＳ４０７）。
【００６３】
続いて、制御部２０１は、新たなＩＰ携帯電話配置フロアマップを作成し、記憶部２０５に記憶する（ステップＳ４０８）。
【００６４】
続いて、制御部２０１は、ステップＳ４０７で作成した動画を表示し、続いて、ステップＳ４０８で作成した新たなＩＰ携帯電話配置フロアマップの表示に切り替える（ステップＳ４０９）。
【００６５】
例えば、ＩＰ携帯電話１０２の接続先のＡＰ１０４が変更されている場合には、元の接続先のＡＰ１０４の模式図から新しい接続先のＡＰ１０４の模式図まで、ＩＰ携帯電話１０２の模式図が一定の速度で移動しているような動画を作成する。また、ＡＰ１０４に接続しなくなったＩＰ携帯電話がある場合、そのＩＰ携帯電話のシンボルが配置図の外に移動する動画を作成する。また、ＩＰ携帯電話の所有者が変更になっている場合、所有者名が変化する動画を作成する。さらに、新たなＡＰ接続中ＩＰ携帯電話配置図を作成する。
【００６６】
制御部２０１は、ユーザから終了の指示があるまで、ステップＳ４１０でＮｏと判別し、上述の動作を繰り返す。
【００６７】
ステップＳ４０８で表示する画像の例を具体的に説明する。
ここでは、旧ＡＰ接続中ＩＰ携帯電話データテーブルが図９（ａ）に示すもので、新ＡＰ接続中ＩＰ携帯電話データテーブルが図９（ｂ）に示すものであるとする。
【００６８】
この場合、制御部２０１は、記憶部２０５に記憶されているＡＰ接続中ＩＰ携帯電話データテーブル７００と、新たに作成されたＡＰ接続中ＩＰ携帯電話データテーブル７０１を比較し、所有者「鈴木  ＸＸ」のＩＰ携帯電話の接続先が、ＩＰアドレスが「１９２．１６８．０．３」のＡＰ１０４に変更されていることを検出する。制御部２０１は、図１３(a)に示されるＩＰ携帯電話位置表示画像９００のように、新しい接続先となるＡＰ１０４を示すＡＰの模式図９０２までＩＰ携帯電話の模式図９０３が一定の速度で移動しているような画像を生成し、表示装置１０６に表示させる。
【００６９】
ＩＰ携帯電話の模式図９０３が、ＡＰの模式図９０２の所定範囲まで近づくと、図１３（ｂ）に示すように、新ＡＰ接続中ＩＰ携帯電話配置図に表示を切り替える。
【００７０】
なお、ＡＰ１０４の模式図の近傍に表示されるＩＰ携帯電話１０２の模式図の配置位置範囲を、ユーザの設定により任意に変更できるようにしても良い。
【００７１】
例えば、記憶部２０５に、配置範囲記憶エリアを確保し、ここにＡＰの模式図からの半径Ｒの下限値と上限値（又は一方）を、操作部２０４から設定できるようにしてもよい。
この場合、例えば、各模式図には、基準点が設定される。
制御部２０１は、ＩＰ携帯電話の模式図を配置する際に、基準となるＡＰ１０４の模式図の基準点の位置を求め、この基準点からの半径がＲの下限値と上限値の範囲となる位置に、ＩＰ携帯電話１０２の模式図を配置する。
【００７２】
図１４に示されるのは、該設定距離を変更したときの、ＡＰの模式図１００３の近傍に表示されるＩＰ携帯電話の模式図の例である。ＩＰ携帯電話の模式図１００２の該設定距離を、ＩＰ携帯電話の模式図１００１よりも短く設定している。この距離設定によって、ユーザは、準備したフロアマップの状況に応じて、該距離を自由に設定して表示調節することが可能となる。
【００７３】
なお、図６の処理終了後、図８のステップＳ４０４に自動的にジャンプして、配置更新処理を実行するようにしてもよい。
【００７４】
以上説明したように、この実施の形態によれば、刻々と変化するＩＰ携帯電話の位置をフロアマップ上に通信中のＡＰの位置と対応付けて表示することができる。しかも、各携帯電話の所有者の名前を表示することができる。従って、何がどこにあって、誰がどこにいるかを容易に判別することができる。
【００７５】
なお、上記実施例では、ＡＰを識別する情報としてＩＰアドレスが用いられ、ＩＰ携帯電話を識別する情報としてＭＡＣアドレスが用いられたが、これらに限定されない。すなわち、ＡＰおよび通信端末を識別できる固有の情報であれば、何でもよい。
【００７６】
なお、上記実施例では、通信端末をＩＰ携帯電話としているが、これに限定されない。例えば、無線ＬＡＮモジュールを備えた、ＰＤＡ（Personal Data Assistance)やノートＰＣ（Personal Computer)などでもよい。
【００７７】
上記実施例では、通信端末位置画像作成装置をネットワーク上に設けているが、ＳＩＰサーバに通信端末位置画像作成装置の機能を設定するようにしてもよい。
【００７８】
その他の実施形態として、通信端末をＩＣタグとし、アクセスポイントを読み取り機としてもよい。例えば、読み取り機の所定範囲内にＩＣタグがあるときに、読み取り機が、ＩＣタグに固有に備えられた識別情報を読み込む。そして、本発明に係る通信端末位置画像作成装置が、通信ネットワークを介して読み取り機に問い合わせを行い、ＩＣタグの識別情報を取得する。通信端末位置画像作成装置が、この識別情報に基づいて、ＩＣタグと読み取り機を配置した地図を生成することで、本発明を実施することも可能である。
【００７９】
また、その他の実施形態として、ＡＰがＧＰＳ（Global Positioning System)の位置情報送信機能を有し、通信端末位置画像作成装置がＧＰＳ情報取得機能を有していてもよい。これにより、通信端末位置画像作成装置が、ＧＰＳによるＡＰの位置情報に基づいて、縮尺関係が正確に示された地図上の位置に、ＡＰの模式図を配置した第２の地図を作成することもできる。
【図面の簡単な説明】
【００８０】
【図１】本発明の実施形態に係るシステム全体を示す図である。
【図２】本発明の実施形態に係るＩＰ携帯電話の通信インターフェースを示す図である。
【図３】本発明の実施形態に係る通信端末位置画像作成装置の構成を示す図である。
【図４】(ａ)は本発明の実施形態に係るＡＰ設置場所データテーブルの一例を示す図であり、(ｂ)は本発明の実施形態に係るＩＰ携帯電話所有者データテーブルの一例を示す図である。
【図５】本発明の実施形態に係るＡＰ配置フロアマップが作成されるときの手順を示すフローチャートである。
【図６】本発明の実施形態に係るＩＰ携帯電話配置フロアマップが作成されるときの手順を示すフローチャートである。
【図７】本発明の実施形態に係るＩＰ携帯電話配置の模式図が作成されるときの手順を示すフローチャートである。
【図８】本発明の実施形態に係るフロアマップが更新されるときの手順を示すフローチャートである。
【図９】(ａ)は本発明の実施形態に係るＡＰ接続中ＩＰ携帯電話データテーブルの一例を示す図であり、(ｂ)は本発明の実施形態に係るＡＰ接続中ＩＰ携帯電話データテーブルの一例を示す図である。
【図１０】本発明の実施形態に係るフロアマップの一例を示す図である。
【図１１】本発明の実施形態に係るＡＰ配置フロアマップの一例を示す図である。
【図１２】本発明の実施形態に係るＩＰ携帯電話配置フロアマップの一例を示す図である。
【図１３】(ａ)は本発明の実施形態に係るＩＰ携帯電話の模式図が移動表示される一例を示す図であり、(ｂ)は本発明の実施形態に係るＩＰ携帯電話の模式図が移動表示された後のフロアマップの一例を示す図である。
【図１４】本発明の実施形態に係るＩＰ携帯電話の模式図とＡＰの模式図との距離設定の一例を示す図である。
【符号の説明】
【００８１】
１００  ネットワークシステム
１０２  ＩＰ携帯電話
１０３  ＳＩＰサーバ
１０４  無線アクセスポイント
１０５  配置図作成装置
１０６  表示装置
１０７  携帯電話基地局
１１０  ＬＡＮ
２０１  制御部
２０３  通信部
２０４  操作部
２０５  記憶部
３００  ＡＰ設置場所データテーブル
３１０  ＩＰ携帯電話所有者データテーブル
４００  フロアマップ
５００  ＡＰ配置フロアマップ
７００  ＡＰ接続中ＩＰ携帯電話データテーブル
８００  ＩＰ携帯電話配置フロアマップ
【図１】
0004998296.tif 000002
【図２】
0004998296.tif 000003
【図３】
0004998296.tif 000004
【図４】
0004998296.tif 000005
【図５】
0004998296.tif 000006
【図６】
0004998296.tif 000007
【図７】
0004998296.tif 000008
【図８】
0004998296.tif 000009
【図９】
0004998296.tif 000010
【図１０】
0004998296.tif 000011
【図１１】
0004998296.tif 000012
【図１２】
0004998296.tif 000013
【図１３】
0004998296.tif 000014
【図１４】
0004998296.tif 000015